(57)【特許請求の範囲】
【請求項１】
磁性体のタンク片を溶断しながら連続的に排出し、積載し切断するタンクの溶断解体方法であって、
前記タンクの壁面に磁力で吸着しながら走行して前記タンクを自動で溶断する自動ガス溶断装置を用いて溶断する溶断工程と、
吸着又は挟持手段により前記タンク片を吸着させ、積載部に積載させる積載工程と、
前記吸着又は挟持手段を前記タンク片の上流側にセットバックさせ、該タンク片を再度吸着させるセットバック吸着工程と、
前記タンク片を、前記積載部に積載させ、かつ前記吸着又は挟持手段により吸着させながら、前記タンク片を切断するタンク片切断工程とを有し、
前記自動ガス溶断装置は、
前記磁性体の壁面に吸着力を生じさせ、前記自動ガス溶断装置の自重を支える磁石と、
走行させるための駆動部と、
前記磁石及び前記駆動部を収容するための本体部と、
前記壁面をザグリ溶断する第一の溶断手段と、
前記第一の溶断手段によりザグリ溶断された前記壁面を溶断する第二の溶断手段とを備え、
前記磁石は、前記壁面から距離を設けており、
前記第一の溶断手段及び第二の溶断手段は、前記壁面を溶断する方向と同一直線状にあることを特徴とするタンクの溶断解体方法。
【請求項２】
前記タンクの溶断解体方法は、前記タンク内で行うことを特徴とする請求項１に記載のタンクの溶断解体方法。
【請求項３】
前記タンク片切断工程後に、前記積載部を前記タンク片の上流側にセットバックさせる積載部セットバック工程をさらに有することを特徴とする請求項１又は２に記載のタンクの溶断解体方法。
【請求項４】
前記駆動部は、平行して取り付けられた前後２つの円柱状のローラであり、
一方のローラの中心と、もう一方のローラの中心が、ローラ同士でずれており、
前記２つの円柱状のそれぞれのローラの回転軸は、進行方向に対して垂直に設けられていることを特徴とする請求項１〜３のいずれか１項に記載のタンクの溶断解体方法。
【請求項５】
前記自動ガス溶断装置は、前記第一の溶断手段と前記第二の溶断手段とが、同一直線状をザグリ溶断及び溶断できるよう、さらに溶断確認装置を備えることを特徴とする請求項１〜４のいずれか１項に記載のタンクの溶断解体方法。
【請求項６】
前記自動ガス溶断装置は、前記第一の溶断手段、前記第二の溶断手段、前記溶断確認装置のいずれか１か所以上に、噴霧手段をさらに備えることを特徴とする請求項５に記載のタンクの溶断解体方法。
【請求項７】
前記積載部の底部は、耐火部材であることを特徴とする請求項１〜６のいずれか１項に記載のタンクの溶断解体方法。
【請求項８】
磁性体のタンク片を溶断しながら連続的に排出し、積載し切断するタンクの溶断解体システムであって、
前記タンクの壁面に磁力で吸着しながら走行して前記タンクを自動で溶断する自動ガス溶断装置を用いて溶断する溶断手段と、
前記タンク片を吸着させる吸着又は挟持手段と、
前記吸着又は挟持手段により前記タンク片を吸着させ、積載させる積載部と、
前記吸着又は挟持手段を前記タンク片の上流側にセットバックさせ、該タンク片を再度吸着させるセットバック手段と、
前記タンク片を、前記積載部に積載させ、かつ前記吸着又は挟持手段により吸着させながら、前記タンク片を切断するタンク片切断手段とを有し、
前記自動ガス溶断装置は、
前記磁性体の壁面に吸着力を生じさせ、前記自動ガス溶断装置の自重を支える磁石と、
走行させるための駆動部と、
前記磁石及び前記駆動部を収容するための本体部と、
前記壁面をザグリ溶断する第一の溶断手段と、
前記第一の溶断手段によりザグリ溶断された前記壁面を溶断する第二の溶断手段とを備え、
前記磁石は、前記壁面から距離を設けており、
前記第一の溶断手段及び第二の溶断手段は、前記壁面を溶断する方向と同一直線状にあることを特徴とするタンクの溶断解体システム。
【発明の詳細な説明】
【技術分野】
【０００１】
本発明は、溶断されたタンク片を排出しながら連続的に積載し切断するタンクの溶断解体方法及び、タンクの溶断解体システムに関する。
【背景技術】
【０００２】
従来より、ガスや液体を貯蔵するための大型の球形や円筒形のタンクを解体する場合、上部よりらせん状にガス溶断を行う。
【０００３】
例えば特許文献１では、大型貯槽の切断解体を行うために、外殻部材の天井部及びそれに続く下側部を天井部の中心近傍位置から所定間隔をもって広がる渦巻状ラインに沿って順次切断していく切断工程と、切断工程の後又はこれに並行して、切断した部位の天井部の中心側端部から順次下方へ引き下げつつ外殻部材を解体していく引下げ工程と、を備えたことを特徴とする大型貯槽の切断解体方法が記載されている。
【０００４】
そして、一般的には、溶断されたタンク片の自重により外部又は内部におろし、タンクの外に出し、重機にてハサミ機アタッチメントを装着して溶断されたタンク片をトラックスケールにさらに切断し、集積していた。そして、集積されたタンク片をトラックに積載し搬送していた。
【先行技術文献】
【特許文献】
【０００５】
【特許文献１】特開平０８−６０８９３号公報
【発明の概要】
【発明が解決しようとする課題】
【０００６】
しかしながら、従来の方法では、溶断されたタンク片をさらに切断して集積し、さらに切断されたタンク片をトラックに積載するのでは、タンクの解体作業に時間がかかる。また、タンクから溶断されたタンク片をタンクの外に出す際に、舗装アスファルト面への摩耗が生じたり、トラックスケールにさらに切断する際、ガス溶断機等を用いるので、そのガス溶断時に舗装アスファルト面へヤケド傷を負わせ、それらの修復にも多大な費用がかかる。また、トラックスケールへのガス溶断時に、枯れ草火災を発生させる場合もある。さらに、集積されたタンク片をトラックに積載する際、特にタンクが金属性である場合には、大きな騒音が発生し、近隣住民への騒音被害となる。
【０００７】
また、タンク壁面の厚みが厚い場合、溶断するのに非常に時間がかかり、作業効率が低いという問題があった。また、溶断時に火花が落下し、火災が度々発生するという問題もあった。
【０００８】
そこで本発明は、タンク壁面の厚みが厚い場合でもタンクの解体作業を効率よく行ってコストを低減させ、火災の問題もなく、かつ騒音被害を防止したタンクの溶断解体方法及び、タンクの溶断解体システムを提供することを目的とする。
【課題を解決するための手段】
【０００９】
本発明の一態様に係るタンクの溶断解体方法は、磁性体のタンク片を溶断しながら連続的に排出し、積載し切断するタンクの溶断解体方法であって、前記タンクの壁面に磁力で吸着しながら走行して前記タンクを自動で溶断する自動ガス溶断装置を用いて溶断する溶断工程と、吸着又は挟持手段により前記タンク片を吸着させ、積載部に積載させる積載工程と、前記吸着又は挟持手段を前記タンク片の上流側にセットバックさせ、該タンク片を再度吸着させるセットバック吸着工程と、前記タンク片を、前記積載部に積載させ、かつ前記吸着又は挟持手段により吸着させながら、前記タンク片を切断するタンク片切断工程とを有し、前記自動ガス溶断装置は、前記磁性体の壁面に吸着力を生じさせ、前記自動ガス溶断装置の自重を支える磁石と、走行させるための駆動部と、前記磁石及び前記駆動部を収容するための本体部と、前記壁面をザグリ溶断する第一の溶断手段と、前記第一の溶断手段によりザグリ溶断された前記壁面を溶断する第二の溶断手段とを備え、前記磁石は、前記壁面から距離を設けており、前記第一の溶断手段及び第二の溶断手段は、前記壁面を溶断する方向と同一直線状にあることを特徴とする。
【００１０】
このようにすれば、タンク壁面の厚みが厚い場合でもタンクの解体作業を効率よく行ってコストを低減させ、火災の問題もなく、かつ騒音被害を防止したタンクの溶断解体方法を提供することができる。
【００１１】
また、本発明の一態様では、前記タンクの溶断解体方法は、前記タンク内で行うとしても良い。
【００１２】
このようにすれば、騒音被害をさらに防止することができる。
【００１３】
また、本発明の一態様では、前記タンク片切断工程後に、前記積載部を前記タンク片の上流側にセットバックさせる積載部セットバック工程をさらに有しても良い。
【００１４】
このようにすれば、タンクの解体作業を効率よく行ってさらにコストを低減させることができる。
【００１５】
また、本発明の一態様では、前記駆動部は、平行して取り付けられた前後２つの円柱状のローラであり、一方のローラの中心と、もう一方のローラの中心が、ローラ同士でずれており、前記２つの円柱状のそれぞれのローラの回転軸は、進行方向に対して垂直に設けられても良い。
【００１６】
このようにすれば、旋回走行が容易になり、作業効率が向上する。
【００１７】
前記自動ガス溶断装置は、前記第一の溶断手段と前記第二の溶断手段とが、同一直線状をザグリ溶断及び溶断できるよう、さらに溶断確認装置を備えるとしても良い。
【００１８】
このようにすれば、タンク壁面の厚みが厚い場合にも作業効率を確実に向上させることができる。
【００１９】
また、本発明の一態様では、前記積載部の底部は、耐火部材としても良い。
【００２０】
このようにすれば、タンク片を切断する作業が容易になり、タンクの解体作業を効率よく行ってさらにコストを低減させることができる。
【００２１】
本発明の一態様では、磁性体のタンク片を溶断しながら連続的に排出し、積載し切断するタンクの溶断解体システムであって、前記タンクの壁面に磁力で吸着しながら走行して前記タンクを自動で溶断する自動ガス溶断装置を用いて溶断する溶断手段と、前記タンク片を吸着させる吸着又は挟持手段と、前記吸着又は挟持手段により前記タンク片を吸着させ、積載させる積載部と、前記吸着又は挟持手段を前記タンク片の上流側にセットバックさせ、該タンク片を再度吸着させるセットバック手段と、前記タンク片を、前記積載部に積載させ、かつ前記吸着又は挟持手段により吸着させながら、前記タンク片を切断するタンク片切断手段とを有し、前記自動ガス溶断装置は、前記磁性体の壁面に吸着力を生じさせ、前記自動ガス溶断装置の自重を支える磁石と、走行させるための駆動部と、前記磁石及び前記駆動部を収容するための本体部と、前記壁面をザグリ溶断する第一の溶断手段と、前記第一の溶断手段によりザグリ溶断された前記壁面を溶断する第二の溶断手段とを備え、前記磁石は、前記壁面から距離を設けており、前記第一の溶断手段及び第二の溶断手段は、前記壁面を溶断する方向と同一直線状にあることを特徴とする。
【００２２】
このようにすれば、タンク壁面の厚みが厚い場合でもタンクの解体作業を効率よく行ってコストを低減させ、火災の問題もなく、かつ騒音被害を防止したタンクの溶断解体システムを提供することができる。
【発明の効果】
【００２３】
以上説明したように本発明によれば、タンク壁面の厚みが厚い場合でもタンクの解体作業を効率よく行ってコストを低減させ、火災の問題もなく、かつ騒音被害を防止したタンクの溶断解体方法及び、タンクの溶断解体システムを提供することができる。
【図面の簡単な説明】
【００２４】
【図１】図１は、本発明の一実施形態に係るタンクの溶断解体方法の概略図である。
【図２】図２は、本発明の一実施形態に係るタンクの溶断解体方法の工程図の概略である。
【図３】図３は、本発明の一実施形態に係るタンクの溶断解体方法に用いられる自動ガス溶断装置の斜視図である。
【図４】図４は、本発明の一実施形態に係るタンクの溶断解体方法に用いられる自動ガス溶断装置の平面図である。
【図５】図５は、本発明の一実施形態に係るタンクの溶断解体方法に用いられる自動ガス溶断装置が壁面を走行する様子を上から示した立面図である。
【図６】図６は、本発明の一実施形態に係るタンクの溶断解体方法に用いられる自動ガス溶断装置が壁面を走行する様子を横から示した立面図である。
【図７】図７は、本発明の一実施形態に係るタンクの溶断解体方法の工程図及びタンクの溶断解体システムの概略図であり、図７（Ａ）は積載工程、図７（Ｂ）はセットバック吸着工程、図７（Ｃ）はタンク片切断工程の説明図である。
【図８】図８は、本発明の一実施形態に係るタンクの溶断解体方法における積載部セットバック工程であり、図８（Ａ）は、積載部がセットバックする前の図であり、図８（Ｂ）は積載部がセットバックした後の図である。
【発明を実施するための形態】
【００２５】
以下、図面を参照して、本発明の好適な実施の形態について詳細に説明する。なお、以下に説明する本実施形態は、特許請求の範囲に記載された本発明の内容を不当に限定するものではなく、本実施形態で説明される構成の全てが本発明の解決手段として必須であるとは限らない。
【００２６】
＜１、タンクの溶断解体方法＞
図１は、本発明の一実施形態に係るタンク７０の溶断解体方法の概略図である。図１に示すように、本発明の一実施形態に係るタンクの溶断解体方法は、磁性体のタンク片を溶断しながら連続的に排出し、積載し切断することを特徴とするものである。つまり、タンク片７５はタンクを自動ガス溶断装置で溶断して排出するが、そのタンク片７５を排出しながら連続的に積載し切断する。作業効率の観点から、タンクの溶断も連続的に行われることがより好ましい。なお、タンク７０の周囲を溶断するとタンク片７５はらせん状に切断され、タンク７０の外又は内で解体作業が行われる。
【００２７】
従来は、タンクを一旦溶断しタンク片にして、トラックなどに積載できる片にさらに切断して解体作業を行っていたが、本発明の一実施形態に係るタンク７０の溶断解体方法は、溶断されたタンク片を排出しながら、連続して下記の工程を行って、積載、セットバック吸着、タンク片切断するので、タンクの解体作業が非常に効率的である。
【００２８】
本発明の一実施形態に係るタンク７０の溶断解体方法は、図２に示すように、少なくとも、溶断工程Ｓ１と、積載工程Ｓ２と、セットバック吸着工程Ｓ３と、タンク片切断工程Ｓ４とを有する。以下工程ごとに詳細に説明する。
【００２９】
＜１−１、溶断工程Ｓ１＞
溶断工程Ｓ１では、タンクの壁面７０に磁力で吸着しながら走行してタンク７０を自動で溶断する自動ガス溶断装置１００を用いる。以下に自動ガス溶断装置１００を詳細に説明する。
【００３０】
図３、４に自動ガス溶断装置の斜視図を示す。図３、４に示すように、自動ガス溶断装置１００は、タンクなどの磁性体の壁面７０に磁力で吸着しながら走行して当該磁性体を自動で溶断する装置である。そして、本発明の一実施形態に係る自動ガス溶断装置１００は、磁石１０と駆動部２０と本体部３０と第一の溶断手段４０と第二の溶断手段４５とを備える。
【００３１】
本発明の一実施形態に係る自動ガス溶断装置１００は、例えば球状や円筒形状のタンクの壁面７０を走行させ、当該タンクを螺旋状に溶断していく。そして溶断して上記タンクを解体させるものである。
【００３２】
磁石１０は上記磁性体の壁面７０に吸着力を生じさせる。ここで用いられる磁石１０は、フェライト、アルニコ、コバルト、ネオジムなどの永久磁石や電磁石が用いられる。また、磁石１０の周りにカバー（不図示）を取り付けても良い。本発明の一実施形態に係る自動ガス溶断装置１００に用いられる磁石１０は、基本的にそれのみで当該自動ガス溶断装置の自重を支える。
【００３３】
上記磁石１０は、図５及び６に示すように、上記自動ガス溶断装置１００が走行できるよう、タンクの壁面７０に接しない程度に、当該タンクの壁面７０から少し距離を設けている。当該距離は、上記自動ガス溶断装置１００が落下しない程度に適宜調整される。
【００３４】
駆動部２０は、タイヤ、ローラ２１、２２、クローラ２３が用いられる。タイヤ、ローラ２１、２２、クローラ２３は、２以上取り付けられることが好ましい。また、上記駆動部２０は、平行して取り付けられた前後２つの円柱状のローラであることが好ましく、上記２つのローラの中心が、前後でずれていることが好ましい。つまり、図４に示すように、一方のローラ２１の中心Ｏ２１と、もう一方のローラ２２の中心Ｏ２２のが、ローラ同士でずれていることが好ましい。また、２つの円柱状のそれぞれのローラの回転軸は、進行方向に対して垂直に設けられている。このようにすることで、旋回走行が容易になり、作業効率が向上する。
【００３５】
本体部３０は、上記磁石１０と駆動部２０が収容されている。その他駆動部を駆動させるためのモーター、遠隔操作を可能にするための受信部等を収容しても良い。
【００３６】
本体部３０の材質としては、反磁性体や剛性の観点から、鉄などの磁性体を除く銅などが用いられ、さらに軽量化の観点からアルミニウム、チタンが用いられることが好ましい。
【００３７】
第一の溶断手段４０は、タンクなどの磁性体の壁面７０をザグリ溶断する。第一の溶断手段４０は、上記本体部３０に取り付けられた溶断機４１と燃焼炎が噴き出す火口４２から構成されることが好ましい。溶断機４１の長さによって、本体部３０から火口４２までの距離を調整し、溶断する箇所と磁石１０の距離を調整できる。また、図３、４、６に示すように、溶断手段４０は、自動ガス溶断装置１００の走行ライン上を外した位置を溶断できるよう、自動ガス溶断装置１００よりも上方に設置することが好ましい。ここでザグリ溶断とは、溶断する対象物を完全に溶断しない程度までの深さを溶断することをいい、その深さは、溶断する対象物の厚み未満とする。例えば、溶断する対象物の厚みの１〜９９％としても良く、３０〜７０％、４０〜６０％、１０〜４０％、６０〜９０％としても良い。
【００３８】
従って、本体部３０から火口４２までの距離は、４００〜１２００ｍｍが好ましい。４００ｍｍ未満であると、本体部３０との距離が短いので、溶断時に火花が本体部３０に飛び散り本体部３０が損傷する場合があるので、溶断手段の出力を上げにくくなり作業効率が低下する場合がある。一方、１２００ｍｍを超えると、火花が本体部３０に飛び散る可能性は、低くなるが、装置の全長が長くなるので重量が増し、作業効率が低下する場合がある。なお、本体部３０から火口４２までの距離は、溶断機４１の長さによって調整され、４００〜１２００ｍｍが好ましい。
【００３９】
火口４２としては、ガスバーナ等が用いられる。ガスバーナは公知の物が用いられる。また、火口４２は自動点火、自動消火が用いられ、センサー付きであることが好ましい。
【００４０】
第二の溶断手段４５は、上記第一の溶断手段４０により壁面７０をザグリ溶断された上記壁面７０を完全に溶断する。このように第一及び第二の溶断手段として、複数溶断手段を設けることで、特にタンク壁面の厚みが厚い場合に作業効率を向上させることができる。また、第一及び第二の溶断手段を設ければ作業効率が単純に２倍である。さらに、タンク壁面が厚くない場合でも、溶断手段を複数備えているので、溶断速度を向上させることもできる。また、１つの溶断手段が故障した場合でも、他の溶断手段により、溶断作業が中断されることなく、溶断作業が進められる。なお、第二の溶断手段４５は、第一の溶断手段４０で説明した上記と同様の態様が適用できる。
【００４１】
また、溶断手段は、３個以上設けても良い。この場合、複数の溶断機や火口を設けることが好ましい。
【００４２】
このように、本発明の一実施形態に係る自動ガス溶断装置１００は、磁石１０、駆動部２０、本体部３０、第一の溶断手段４０、第二の溶断手段４５とを備え、壁面７０を溶断していきながら、図３−５に示す矢印の方向に進む。
【００４３】
図３−６に示すように、上記自動ガス溶断装置１００は、上記第一の溶断手段４０と上記第二の溶断手段４５とが、同一直線状をザグリ溶断及び溶断できるよう、さらに溶断確認装置９０、９２を備えることが好ましい。
【００４４】
溶断確認装置９０、９２により、溶断深さなどの溶断状態を確認する。具体的には、進行方向前方の溶断手段４０の溶断機４１により壁面７０がザグリ溶断されたかを確認し、進行方向後方の溶断手段４５の溶断機４６で完全に溶断されたかを確認する。そうすることで、第一の溶断手段４０と上記第二の溶断手段４５とが、同一直線状をザグリ溶断及び溶断できるので、壁面７０が厚い場合でも溶断作業が容易にでき、作業効率を向上させることができる。溶断確認装置９０、９２は、レーザー光線等を用いて溶断状態を確認することが好ましい。
【００４５】
もし、進行方向後方の第二の溶断手段４５の溶断機４６で完全に溶断されていない場合でも、進行方向前方の第一の溶断手段４０（の溶断機４１）の出力を上げて、ザグリ深さを深くし、又は第二の溶断手段４５（の溶断機４６）の出力を上げるなど、溶断確認装置９０、９２により、第一又は第二の溶断手段の出力を適宜調整することができる。なお、溶断確認装置９０及び上記溶断手段４０は、自動ガス溶断装置１００から出るオートフリとすれば良い。
【００４６】
このようにすれば、完全に溶断されたかを確認できるので、作業効率がさらに向上する。なお、溶断手段４０、溶断確認装置９０及び後述する落下防止手段６０は、図面上では、自動ガス溶断装置１００の真上に位置しているが、特に限定されなく、自動ガス溶断装置１００の左上または右上に位置しても良いが、特に溶断手段４０及び溶断確認装置９０は、自動ガス溶断装置１００が走行する後方に位置することが好ましい。このようにすれば、自動ガス溶断装置１００に備える磁石１０に鉄紛等が付着することによる落下を防止することができ、作業効率が向上する。
【００４７】
上記自動ガス溶断装置１００は、上記第一の溶断手段４０、上記第二の溶断手段４５、上記溶断確認装置９０、９２のいずれか１か所以上に、水を霧状に噴霧する噴霧手段をさらに備えることが好ましい。噴霧手段は、例えば、上記第一の溶断手段４０、上記第二の溶断手段４５、上記溶断確認装置９０、９２のノズル９５、９６に配管を通して、エアーを含めるなど、水を霧状に出すようにすればよい。噴霧装置の態様は、噴霧できれば特に限定はされない。
【００４８】
噴霧は壁面７０に対して行うことが好ましい。また、第一の溶断手段４０及び第二の溶断手段４５による溶断部周辺に対して行うことが好ましい。
【００４９】
壁面７０を噴霧手段により水を霧状に噴霧することで、溶断部分の壁面７０を冷却し、第一の溶断手段４０及び第二の溶断手段４５による溶断時に発生するノロや火花を防止し、熱くなった小鉄片を冷却する。そうすることで、溶断作業時に火災の発生を防止することができる。
【００５０】
また、噴霧量を多くすることで、火災を防止するだけでなく、壁面７０の洗浄もできるので、壁面７０に付着した溶断時に溶断を阻害する砂鉄や鉄屑又は錆を除去できるので、自動ガス溶断装置１００の落下も防止でき、さらに作業効率が向上する。
【００５１】
また、壁面７０に第一の溶断手段による溶断時に発生したスラグは、第二の溶断手段による溶断時に溶断を阻害する場合があるが、噴霧することでそのスラグを除去することができ、溶断速度も向上する。
【００５２】
ゆえに自動ガス溶断装置１００が速度を上げられるので、作業効率もさらに向上する。
【００５３】
図３−５に示すように、上記自動ガス溶断装置１００の進行方向の上記壁面７０に向けて、当該壁面７０に付着した磁性体粉を除去する、除去手段をさらに設けても良い。上記自動ガス溶断装置１００の進行する壁面上に砂鉄や鉄屑を除去すれば、磁石１０やカバーに付着することを防止できる。上記除去手段５０は、エアーブロアによって除去することが好ましい。また、上記除去手段５０は、本体部３０に直接取り付けられても良い。さらに、上記除去手段５０は、エアーブロアによって広範囲に吹くために、図３又は図４に示すように、扇状にエアーを飛ばして広範囲の磁性体粉を除去することが好ましい。図４に示すように、扇状の角度θとしては、θ＝１２０°〜１８０°が好ましい。また、エアー量も多い方が好ましい。なお、除去手段５０は、自動ガス溶断装置１００の進行方向に対し、前方又は後方の一方若しくは両方に備えても良い。
【００５４】
除去手段５０は、例えばφ３０ｍｍのブロアホースなどを用いて、エアーブロアによって磁性体の壁面７０に付着した磁性体粉を吹き飛ばして除去してもよいし、吸引して上記磁性体粉を除去しても良い。さらに除去手段５０は、エアーブロアで磁性体粉を吹き飛ばしての除去、上記磁性体粉を吸引しての除去の両方行っても良い。
【００５５】
除去手段５０にも噴霧手段をさらに備えることとしても良い。このようにすれば、壁面７０に付着した磁性体粉を吹き飛ばして除去できるし、溶断部分の壁面７０を冷却して溶断時に発生するノロや火花による火災の発生を防止することができる。
【００５６】
従来では、タンク壁面の厚みが厚い場合、溶断するのに非常に時間がかかり、作業効率が低いという問題があった。またこの場合、溶断出力を上げて作業をするが、出力を上げることで、溶断時に非常に大きな火花が発生したりするので、その火花が落下し、火災が度々発生するという問題もあった。
【００５７】
そこで、本発明の一実施形態に係る自動ガス溶断装置１００は、第一の溶断手段４０、第二の溶断手段４５、好ましくは噴霧手段を用いる。そうすることで、タンク壁面の厚みが厚い場合に作業効率を向上させることができる。また、溶断時に火災の発生を防止できる自動ガス溶断装置を提供することができる。水を霧状に噴霧することでタンク壁面が濡れて滑りやすくなるが、本発明の一実施形態に係る自動ガス溶断装置１００は、当該自動ガス溶断装置１００の自重を支え、壁面から距離を設けた磁石１０を有するので、上記目的を達成することができる。
【００５８】
上記壁面７０の厚みは、３ｃｍ以上であることが好ましい。このようにすれば、特にタンク壁面７０の厚みが厚い場合に作業効率をより向上させることができる。
【００５９】
上記第一の溶断手段４０及び上記第二の溶断手段４５は、溶断出力調整機能が設けられていることが好ましい。溶断出力調整機能により、上記第一の溶断手段４０及び上記第二の溶断手段４５の溶断を調整する。具体的には、溶断出力調整機能により、第一の溶断手段４０のザグリ深さを調整し、また、第二の溶断手段４５の溶断を出力調整する。
【００６０】
このようにすれば、第一の溶断手段と第二の溶断手段の溶断する深さが溶断出力調整機能により調整できるので、壁面７０の厚みに対応して溶断することができる。また、確実に壁面７０を完全に溶断することができる。
【００６１】
また、溶断後は特にタンク壁面７０に磁性体粉が多く付着するが、タンク壁面７０に付着した磁性体粉を除去しているので、上記自動ガス溶断装置１００の前進走行ばかりでなく、後進走行に対しても有効であり、本発明の一実施形態に係る自動ガス溶断装置１００は、磁性体粉の付着を防止できる。
【００６２】
また、図３及び４に示すように、本発明の一実施形態に係る自動ガス溶断装置１００は、自動でタンク壁面７０を走行し溶断するので、ＴＶカメラ搭載ＧＰＳ８０をさらに備えることが好ましい。ＧＰＳを備えることで当該装置の位置情報が明確になり、ＴＶカメラを備えることで溶断及び走行する様子を明確に映すことができ、より安全に作業ができ、かつ作業効率が向上する。
【００６３】
また、本発明の一実施形態に係る自動ガス溶断装置１００は、自動走行するための電力を電気配線等で接続させ、走行すればよい。また、バッテリーや送信機、受信機を搭載し、コードレスとしても良い。
【００６４】
さらに、上記自動ガス溶断装置１００は、図３等に示すように、さらに落下防止手段６０を備えることが好ましい。このようにすれば、駆動部のタイヤ、ローラ２１、２２やクローラ２３が壁面７０から浮いて壁面７０と磁石１０との距離が離れ、自動ガス溶断装置１００が落下しそうになっても、落下防止手段６０により、落下を確実に防止することができる。さらに、落下防止手段６０は、その溶断場所に応じて伸縮できる手段を備えることが好ましい。伸縮手段は公知の手段を取ればよい。伸縮手段としては、０．５〜３ｍの調整可能となるように落下防止手段６０の長さとすれば良い。
【００６５】
図３及び６に示すように、上記落下防止手段６０は、タイヤ６２付きフック６１であることが好ましい。図３及び６に示すように、当該フック６１を溶断されたタンク壁面７０にひっかけて走行させる。フック６１を有することで落下を防止し、タイヤ６２を有することでフック６１を取り付けていても走行に支障なく、溶断作業が可能となる。特に雨天の時は、壁面７０が濡れて非常に滑りやすくなるので、落下防止手段６０を備えれば落下防止に対し、非常に効果的である。なお、上記タイヤ６２は、自動ガス溶断装置１００の進行方向に応じた向きに取り付ければよい。また、上記タイヤ６２は、ノーパンクタイヤを用いることが好ましい。
【００６６】
上記フック６１は、図３及び６に示すように丸いフックでも四角いフックでも良い。また、以上のように、本発明の一実施形態に係る自動ガス溶断装置１００は、図１−３に示すように、矢印の方向に走行する。さらに、上記フック６１は、１８０°回転できることが好ましい。
【００６７】
自動ガス溶断装置１００は、第一の溶断手段４０、第二の溶断手段４５を備えるので、１つの溶断手段では時間がかかっていた作業でも、自動ガス溶断装置は第一の溶断手段と第二の溶断手段とを備えるので、タンク壁面が厚い場合でも有効である。また、好ましくは噴霧手段によりタンク壁面の溶断部を冷却や洗浄することができるので、火災防止に有効であり、さらに溶断作業を効率化できる。
【００６８】
＜１−２、積載工程Ｓ２＞
積載工程Ｓ２では、図７（Ａ）に示すように、吸着又は挟持手段１１０により上記タンク片７５を吸着させる。タンクは鉄などの磁性体であることが多く、吸着又は挟持手段１１０としては、フェライト、アルニコ、コバルト、ネオジムなどの永久磁石や電磁石が挙げられる。その他の吸着又は挟持手段１１０としては、吸盤やはさみ機でもよく、吸着やはさむことができれば限定はされない。なおタンクが磁性体でない場合には、吸盤やはさみ機が好ましい。
【００６９】
積載部１２０としては、積載部分を搭載したトラックなどが挙げられ、積載できれば限定はされないが、積載部が移動可能なトラックやタイヤが装着していることが好ましい。また、上記積載部１２０の底部は、耐火部材であることが好ましい。後述するタンク片切断工程Ｓ４でタンク片７５を切断するとき、積載部の焦げや焼きを防止することができ、タンクの解体作業を効率よく行ってさらにコストを低減させることができる。
【００７０】
＜１−３、セットバック吸着工程Ｓ３＞
セットバック吸着工程Ｓ３では、図７（Ｂ）に示すように、上記吸着又は挟持手段１１０を上記タンク片７５の上流側にセットバックさせ、当該タンク片７５を再度吸着させる。このように、タンク片７５の上流側にセットバックさせることで、次工程のタンク片切断工程Ｓ４での切断時に、タンク片７５が安定するので、その切断を容易にできる。
【００７１】
＜１−４、タンク片切断工程Ｓ４＞
タンク片切断工程Ｓ４では、図７（Ｃ）に示すように、上記タンク片７５を、上記積載部１２０に積載させ、かつ上記吸着又は挟持手段１１０により吸着させながら、上記タンク片７５を切断手段１３０により切断する。このように、上記積載部１２０に積載させ、かつ上記吸着又は挟持手段１１０により吸着させることで、タンク片７５が安定し、容易にタンク片７５を切断することができる。なお、切断手段としては、ガスバーナー切断、ウォータージェット切断、プラズマ切断などが用いられる。
【００７２】
タンク片切断工程Ｓ４が終われば、再び積載工程Ｓ２、セットバック吸着工程Ｓ３、タンク片切断工程Ｓ４を行い、タンク片７５が全て切断し積載部１２０に積載されるまで繰り返し上記工程を行う。
【００７３】
従来の方法では、溶断されたタンク片をさらに切断して集積し、さらに切断されたタンク片をトラックに積載するのでは、タンクの解体作業に時間がかかり、タンクから溶断されたタンク片をタンクの外に出す際に、舗装アスファルト面への摩耗が生じたり、トラックスケールにさらに切断する際、ガス溶断機等を用いるので、そのガス溶断時に舗装アスファルト面へヤケド傷を負わせ、それらの修復にも多大な費用がかかり、さらに、集積されたタンク片をトラックに積載する際、特にタンクが金属性である場合には、大きな騒音が発生し、近隣住民への騒音被害となっていたが、本発明の一実施形態に係るタンクの溶断解体方法によれば、タンクの解体作業を効率よく行ってコストを低減させ、火災の問題もなく、かつ騒音被害を防止できる。
【００７４】
また、本発明の一実施形態に係るタンク７０の溶断解体方法は、図１に示すように、タンク７０の内で行うことが好ましい。タンク７０の内で作業を行えば、タンク７０が防音壁となって、騒音が小さくなり、騒音被害をさらに防止することができる。なお、タンク７０の内で作業が行えるよう、タンクの内に入る穴を設けておくことが好ましい。なお、タンク７０は図１に示す円筒形の他、球状、四角状などが存在する。
【００７５】
＜１−５、積載部セットバック工程Ｓ５＞
本発明の一実施形態に係るタンク７０の溶断解体方法は、上記に説明した工程の他、図８（Ａ）及び（Ｂ）に示すように、上記タンク片切断工程Ｓ４後に、上記積載部１２０を上記タンク片７５の上流側にセットバックさせる積載部セットバック工程Ｓ５をさらに有することが好ましい。図８（Ａ）に示すように、積載部１２０がタンク片７５の上流側に移動し、図８（Ｂ）に示すように、タンク片７５が積載部１２０の上方に来るまで積載部１２０をセットバックさせる。
【００７６】
このようにすれば、積載部１２０が移動するので、タンク片７５の積載がスムーズになり、タンク７０の解体作業を効率よく行ってさらにコストを低減させることができる。
【００７７】
＜２、タンクの溶断解体システム＞
次に本発明の一実施形態に係るタンクの溶断解体システム２００について説明する。本発明の一実施形態に係るタンクの溶断解体システム２００は、磁性体のタンク片を溶断しながら連続的に排出し、積載し切断するタンクの溶断解体システムであって、図１及び図７（Ａ）（Ｂ）（Ｃ）に示すように、上記タンクの壁面７０に磁力で吸着しながら走行して前記タンクを自動で溶断する自動ガス溶断装置を用いて溶断する溶断手段１００と、上記タンク片７５を吸着させる吸着又は挟持手段１１０と、上記吸着又は挟持手段１１０により上記タンク片７５を吸着させ、積載させる積載部１２０と、上記吸着又は挟持手段１１０を上記タンク片７５の上流側にセットバックさせ、当該タンク片７５を再度吸着させるセットバック手段１４０と、上記タンク片７５を、上記積載部１２０に積載させ、かつ上記吸着又は挟持手段１１０により吸着させながら、上記タンク片７５を切断するタンク片切断手段１３０とを有することを特徴とする。
【００７８】
本発明の一実施形態に係るタンクの溶断解体システム２００に用いられる自動ガス溶断装置１００、吸着又は挟持手段１１０、積載部１２０、タンク片切断手段１３０は上述した通りである。また、セットバック手段１４０は、例えばトラックが挙げられ、積載部１２０をセットバックできれば限定されない。
【００７９】
このようにすれば、タンク壁面の厚みが厚い場合でもタンクの解体作業を効率よく行ってコストを低減させ、火災の問題もなく、かつ騒音被害を防止したタンクの溶断解体システムを提供することができる。
【００８０】
なお、上記のように本発明の各実施形態及び各実施例について詳細に説明したが、本発明の新規事項及び効果から実体的に逸脱しない多くの変形が可能であることは、当業者には、容易に理解できるであろう。従って、このような変形例は、全て本発明の範囲に含まれるものとする。
【００８１】
例えば、明細書又は図面において、少なくとも一度、より広義又は同義な異なる用語と共に記載された用語は、明細書又は図面のいかなる箇所においても、その異なる用語に置き換えることができる。また、タンクの溶断解体方法及び、タンクの溶断解体システムの構成、動作も本発明の各実施形態及び各実施例で説明したものに限定されず、種々の変形実施が可能である。
【符号の説明】
【００８２】
Ｓ１  溶断工程、Ｓ２  積載工程、Ｓ３  セットバック吸着工程、Ｓ４  タンク片切断工程、Ｓ５  積載部セットバック工程、
１０  磁石、２０  ２１  ２２  ２３  駆動部、３０  本体部、４０  第一の溶断手段、４１、４６  溶断機、４２、４７  火口、４５  第二の溶断手段、５０  除去手段、６０  落下防止手段、６１  フック、６２  タイヤ、  ７０  （タンク）壁面、７５  タンク片、８０  ＴＶカメラ搭載ＧＰＳ、９０、９２  溶断確認装置、９５、９６  ノズル、
１００  自動ガス溶断装置（溶断手段）、１１０  吸着又は挟持手段、１２０  積載部、１３０  切断手段、１４０  セットバック手段、２００  タンクの溶断解体システム、
θ  （エアーの）扇状の角度
【要約】
【課題】タンク壁面の厚みが厚い場合でもタンクの解体作業を効率よく行ってコストを低減させ、火災の問題もなく、かつ騒音被害を防止したタンクの溶断解体方法及び、タンクの溶断解体システムを提供することを目的とする。
【解決手段】磁性体のタンク片を溶断しながら連続的に排出し、積載し切断するタンクの溶断解体方法であって、前記タンクの壁面に磁力で吸着しながら走行し、前記タンクを自動で溶断する第一の溶断手段と第二の溶断手段とを備えた自動ガス溶断装置を用いて溶断する溶断工程と、前記タンク片を吸着させ、積載部に積載させる積載工程と、前記吸着又は挟持手段を前記タンク片の上流側にセットバックさせ、該タンク片を再度吸着させるセットバック吸着工程と、前記タンク片を、前記積載部に積載させ、かつ前記吸着又は挟持手段により吸着させながら、前記タンク片を切断するタンク片切断工程とを有することを特徴とする。
【選択図】図１【図１】
0006727745.tif 000002
【図２】
0006727745.tif 000003
【図３】
0006727745.tif 000004
【図４】
0006727745.tif 000005
【図５】
0006727745.tif 000006
【図６】
0006727745.tif 000007
【図７】
0006727745.tif 000008
【図８】
0006727745.tif 000009